(57)【要約】 【課題】  電線を締結するための接続ネジの脱落防止および電線端部の動きを拘束する。【解決手段】  端子台１００に対する電線２００の取付けまたは取外しの際に、電線２００の端部を端子台１００に締結する接続ネジ１０１の脱落を防止するネジ脱落防止具１であって、電線２００の端部に配置可能な支持部２と、支持部２の一方に形成され、接続ネジ１０１を回動自在に保持可能なネジ保持部３と、支持部２の他方に形成され、電線２００を着脱自在に保持可能な電線保持部４と、を備えることを特徴とする。【選択図】  図１
2012145162.tif 000002
【特許請求の範囲】
【請求項１】
電気機器に対する電線の取付けまたは取外しの際に、前記電線の端部を前記電気機器に締結するネジの脱落を防止するネジ脱落防止具であって、
前記電線の端部に配置可能な支持部と、
前記支持部の一方に形成され、前記ネジを回動自在に保持可能なネジ保持部と、
前記支持部の他方に形成され、前記電線を着脱自在に保持可能な電線保持部と、
を備えることを特徴とするネジ脱落防止具。
【請求項２】
前記支持部には、外方に突出する把持部が形成されていることを特徴とする請求項１に記載のネジ脱落防止具。
【請求項３】
前記支持部と前記ネジ保持部と前記電線保持部は、電気的絶縁性を有する樹脂によって一体成形されていることを特徴とする請求項１に記載のネジ脱落防止具。
【発明の詳細な説明】
【技術分野】
【０００１】
この発明は、電気機器に対する電線の取付けまたは取外しの際に、電線の端部を電気機器に締結するネジの脱落を防止するネジ脱落防止具に関する。
【背景技術】
【０００２】
例えば、送配電の関連設備などにおいては、電線の接続や分岐などのために端子台が使用されている。電線の端部には端子が取付けられており、端子はネジを介して端子台に締結されるようになっている。端子台に締結された電線は、設備点検や配線変更などのために端子台から一時的に取外したり付け替えられたりすることがある。端子台には複数の締結部があり、電線の端部に取付けられた端子を端子台に着脱する際には、端子を締結するためのネジが脱落して他の端子などの導電部に接触することを防止する必要がある。
【０００３】
そこで、ネジのネックに回動可能に嵌合するワッシャに弾性腕を設け、この弾性腕によりドライバの軸部を挟持するようにクリップを構成したねじ保持装置に関する技術が提案されている（例えば、特許文献１参照。）。また、ドライバを挿通する第１の開口を一端面に有し、且つネジ穴と連通する第２の開口を他端面に有したドライバ挿通穴を備えたホルダ本体と、先端部が第２の開口内に突出入自在となるようにホルダ本体によりスライド自在に支持されると共に第２の開口部内に突出したときに、先端部によりビスの雄螺子部を支持する保持部材とを備えたビスの脱落防止ホルダに関する技術が提案されている（例えば、特許文献２参照。）。
【先行技術文献】
【特許文献】
【０００４】
【特許文献１】特開平０９−２４２７３７号公報
【特許文献２】特開２００９−２０２３０６号公報
【発明の概要】
【発明が解決しようとする課題】
【０００５】
しかしながら、特許文献１、２に記載された技術はいずれも、ネジをドライバから脱落しないように保持することはできても、電線は別途手で保持しなくてはならないものであった。すなわち、特許文献１、２の技術は、ネジの脱落は防止することができるが、電線を端子台から外す際に電線を保持するものがなく、ネジを外すと同時に電線が跳ね上がり、外した電線の端部が通電中の他の端子に接触するおそれがある。
【０００６】
このように、従来では電線の端部を端子台に着脱する時には、電線の端部に取付けられた端子が不用意に他の端子などの導電部に接触しないようにするために、取外す電線を確実に保持しておく必要がある。つまり、電線の端子の端子台に対する取付けおよび取外し時は、作業者は一方の手で端子の固定穴を端子台のネジ穴（端子装着部）に合わせた状態で、ネジが脱落しないように注意して他方の手でドライバを回してネジを締結する必要があるため、作業が煩雑になるという問題があった。また、端子台の設置場所は狭く限られたスペースであることも多く、このような狭いスペースでの煩雑な作業を行うことは困難であった。
【０００７】
上述の問題は、端子台に対する電線の取付けまたは取外しに伴って生じるものであるが、これらの問題は端子台だけでなく他の電気機器についても同様であり、これらの問題を解決できる技術の開発が望まれる。
【０００８】
そこでこの発明は、電気機器に対する電線の取付けまたは取外しの際に、電線を締結するためのネジの脱落防止および電線端部の動きを拘束することが可能なネジ脱落防止具を提供することを目的としている。
【課題を解決するための手段】
【０００９】
前記の課題を解決するために、請求項１に記載の発明は、電気機器に対する電線の取付けまたは取外しの際に、前記電線の端部を前記電気機器に締結するネジの脱落を防止するネジ脱落防止具であって、前記電線の端部に配置可能な支持部と、前記支持部の一方に形成され、前記ネジを回動自在に保持可能なネジ保持部と、前記支持部の他方に形成され、前記電線を着脱自在に保持可能な電線保持部と、を備えることを特徴とする。
【００１０】
この発明によれば、電気機器に対する電線の取付けまたは取外しの際には、支持部に形成されたネジ保持部と電線保持部とによって、ネジと電線とが確実に保持される。
【００１１】
請求項２に記載の発明は、請求項１に記載されたネジ脱落防止具において、前記支持部には、外方に突出する把持部が形成されていることを特徴とする。
【００１２】
請求項３に記載の発明は、請求項１に記載されたネジ脱落防止具において、前記支持部と前記ネジ保持部と前記電線保持部は、電気的絶縁性を有する樹脂によって一体成形されていることを特徴とする。
【発明の効果】
【００１３】
請求項１に記載の発明によれば、支持部にはネジ保持部と電線保持部が形成されるので、電気機器に対する電線の取付けまたは取外しの際には、支持部によってネジと電線とを同時に保持することが可能となる。したがって、片手のみでネジの脱落防止および電線端部の動きを拘束することができ、電気機器に対する電線の取付けまたは取外し作業を容易に行うことができる。
【００１４】
請求項２に記載の発明によれば、支持部には外方に突出する把持部が形成されているので、電気機器に対する電線の取付けまたは取外しの際は、片手で把持部を把持することで支持部を間接的に把持することができ、電線の取付けまたは取外しの作業性を高めることができる。
【００１５】
請求項３に記載の発明によれば、支持部とネジ保持部と電線保持部は、電気的絶縁性を有する樹脂によって一体成形されているので、作業対象となる電線に対して他の電線が隣接していても、樹脂を介して他の電線との電気的な接触を回避することができ、作業の安全性を高めることができる。
【図面の簡単な説明】
【００１６】
【図１】この発明の実施の形態１に係るネジ脱落防止具を示す平面図である。
【図２】図１のネジ脱落防止具を示す正面図である。
【図３】図１のネジ脱落防止具を示す側面図である。
【図４】図１のネジ脱落防止具を用いた電線の端子台への取付け状態を示す正面図である。
【図５】図１のネジ脱落防止具を用いた電線の端子台への取付け状態を示す左側面図である。
【図６】図１のネジ脱落防止具を用いた電線の端子台への取付け状態を示す右側面図である。
【図７】図１のネジ脱落防止具を端子台に取り付けた状態を示す平面図である。
【図８】電線の端子台への締結状態を示す平面図である。
【図９】図８の端子台に電線を締結した状態を示す側面図である。
【発明を実施するための形態】
【００１７】
つぎに、この発明の実施の形態について図面を用いて詳しく説明する。
【００１８】
図１ないし図９は、この発明の実施の形態を示している。電気機器としての端子台１００は、例えば送配電の関連設備の制御盤内に配置されている。図８、９に示すように、端子台１００には複数のネジとしての接続ネジ１０１が並んで配設され、接続ネジ１０１の螺合によって電線２００が締結されている。より詳しくは、接続ネジ１０１を電線２００の先端部に取付けられた圧着端子２０１の固定穴に挿通し、接続ネジ１０１をネジ穴（図示略）に螺合させることによって、端子台１００の接続ネジ１０１と電線２００とが接続されるようになっている。
【００１９】
ネジ脱落防止具１は、電気的絶縁性を有する合成樹脂で構成されている。ネジ脱落防止具１は、端子台１００に対する電線２００の取付けまたは取外しの際に使用するもので、図１に示すように、主として、支持部２と、ネジ保持部３と、電線保持部４とを備えている。支持部２とネジ保持部３と電線保持部４は、上述の電気的絶縁性を有する合成樹脂によって一体成形されている。
【００２０】
支持部２は、水平方向に延びる棒状で、後述するように接続ネジ１０１と電線２００とに取り付けられた状態では、電線２００の上端側に軸方向に沿って延びるものである。この支持部２は、接続ネジ１０１と電線２００とを確実に保持することができるように剛性が高くなっている。
【００２１】
ネジ保持部３は、支持部２の先端側（一方）に一体的に形成され、接続ネジ１０１を回動自在に保持可能である。つまり、ネジ保持部３は、接続ネジ１０１の頭部１０１ａ外周を着脱自在に保持し、頭部１０１ａを保持した状態で接続ネジ１０１がドライバなどによって回動自在となっている。このネジ保持部３は、図１に示すように、主として略円弧状の基端部３１と、アーム部３２、３３とを備え、ネジ保持部３の先端側は、頭部１０１ａが進入可能な開口部を有している。この開口部から、接続ネジ１０１の頭部１０１ａは着脱自在となっている。
【００２２】
アーム部３２、３３は、弾性変形可能な部材で構成され、接続ネジ１０１の着脱時には変形して着脱しやすくなり、接続ネジ１０１が取り付けられた状態では弾性力によってネジ保持部３は接続ネジ１０１を押圧して保持するようになっている。このアーム部３２は、図１ないし図３に示すように、基端部３１の一端部側から水平方向に延びる水平部３２ａと、水平部３２ａの外側から上方に向かって内側に傾斜して立設し、接続ネジ１０１の頭部１０１ａを覆うような曲面状に構成されている側面部３２ｂとを備えている。また、アーム部３３はアーム部３２と同様に構成され、基端部３１の他端部側に対向して配置されている。さらにまた、水平部３２ａ、３３ａ間の距離は、接続ネジ１０１のネジ部の直径と略同等またはわずかに小に設定され、頭部１０１ａ底面の直径より小に設定されている。このようにして、図４ないし図６に示すように、接続ネジ１０１は頭部１０１ａ底面（ネック部）が水平部３２ａ、３３ａによって下方から保持され、接続ネジ１０１の頭部１０１ａ側面が側面部３２ｂ、３３ｂによって水平方向に押圧されて保持されるようになっている。
【００２３】
電線保持部４は、支持部２の他端側（他方）に一体的に形成され、電線２００の外周を軸方向に沿って着脱自在に保持するものである。この電線保持部４は、図２、図３に示すように、支持部２から下方に延びる中空状で、下側に電線２００を進入可能な切欠部を有している。この切欠部によって、電線保持部４は電線２００を着脱自在となっている。また、電線保持部４は弾性変形可能な部材で、内周は電線２００の外周よりもわずかに小さく設定されている。つまり、電線２００の着脱時には変形して着脱しやすくなり、図５に示すように、電線２００が取り付けられた状態では弾性力によって電線保持部４は電線２００を押圧して保持するようになっている。
【００２４】
把持部５は、支持部２の外方に突出して一体的に形成された平板状で、作業者が把持しやすい形状、大きさ、剛性に設定されている。
【００２５】
そして、後述するように、接続ネジ１０１の着脱時は、ネジ保持部３によって接続ネジ１０１の頭部１０１ａが保持され、電線保持部４によって電線２００が保持された状態となり、接続ネジ１０１と電線２００とは同時に保持されるようになっている。すなわち、ネジ脱落防止具１に接続ネジ１０１と電線を取り付けた状態では、作業者はネジ保持部３の把持部５を把持するだけで、接続ネジ１０１と電線２００とを同時に保持できるようになっている。
【００２６】
次に、このような構成のネジ脱落防止具１の使用方法および作用について説明する。
【００２７】
電線２００を端子台１００に取り付ける場合は、まず、端子台１００と接続ネジ１０１の頭部１０１ａとの間にネジ保持部３が差込可能な程度に、接続ネジ１０１がゆるめられる。そして、端子台１００と頭部１０１ａとの間に、ネジ保持部３の開口部が差し込まれ、ネジ保持部３によって頭部１０１ａ外周を保持するように取り付けられる。そして、一方の手によって把持部５が把持された状態で、他方の手に把持されたドライバによって、接続ネジ１０１がさらにゆるめられて端子台１００から取り外される。
【００２８】
つづいて、電線２００の圧着端子２０１の固定穴に、ネジ保持部３によって頭部１０１ａが保持された接続ネジ１０１が挿通され、ネジ脱落防止具１の支持部２が電線２００に沿わされた状態で、電線保持部４で電線２００の外周を保持するように切欠部から押し込むようにして取り付けられる。これにより、接続ネジ１０１と電線２００とはネジ脱落防止具１によって保持される。
【００２９】
つぎに、一方の手によってネジ脱落防止具１の把持部５が把持された状態で、他方の手に把持されたドライバによって、接続ネジ１０１が端子台１００のネジ穴に締め付けられて締結される。そして、電線保持部４が電線２００の外周から取外され、ネジ保持部３が頭部１０１ａ外周から取り外されて、ネジ脱落防止具１が接続ネジ１０１および電線２００から取り外される。その後さらに、圧着端子２０１と端子台１００とが密着し導通するように接続ネジ１０１が締結される。このようにして、電線２００が端子台１００に取り付けられる。
【００３０】
また、電線２００を端子台１００から取り外す場合は、まず、圧着端子２０１と接続ネジ１０１との間にネジ保持部３が差込可能な程度に、接続ネジ１０１がゆるめられる。そして、端子台１００と頭部１０１ａとの間に、ネジ保持部３の開口部が差し込まれ、ネジ保持部３によって頭部１０１ａ外周を保持するように取り付けられる。そして、支持部２が電線２００に沿わされた状態で、電線保持部４が電線２００の外周を保持するように取り付けられる。これにより、接続ネジ１０１と電線２００とはネジ脱落防止具１によって保持される。
【００３１】
つづいて、一方の手によってネジ脱落防止具１の把持部５が把持された状態で、他方の手で把持されたドライバで接続ネジ１０１がゆるめられて端子台１００から取り外される。そして、電線保持部４が電線２００の外周から取外されて、電線２００がネジ脱落防止具１、接続ネジ１０１から取り外される。
【００３２】
つぎに、一方の手によってネジ脱落防止具１の把把持部５を把持した状態で、他方の手で把持されたドライバで接続ネジ１０１が締結されて端子台１００に取り付けられる。そして、ネジ保持部３が接続ネジ１０１の頭部１０１ａ外周から取り外され、さらに、接続ネジ１０１と端子台１００とが密着するように接続ネジ１０１が締結される。このようにして、電線２００が端子台１００から取り外される。
【００３３】
このようにして、接続ネジ１０１の着脱時は、ネジ脱落防止具１によって接続ネジ１０１と電線２００とを同時に保持可能であり、作業者は把持部５を把持するだけで、接続ネジ１０１の脱落と電線２００の保持とを確実に行うことができる。
【００３４】
以上のように、このネジ脱落防止具１によれば、支持部２にはネジ保持部３と電線保持部４が形成されるので、端子台１００に対する電線２００の取付けまたは取外しの際には、支持部２によって接続ネジ１０１と電線２００とを同時に保持することが可能となる。したがって、片手のみで接続ネジ１０１の脱落防止および電線２００端部の動きを拘束することができ、端子台１００に対する電線２００の取付けまたは取外し作業を容易に行うことができる。また、接続ネジ１０１の着脱時に接続ネジ１０１や電線２００が接続ネジ１０１などに不用意に接触することを確実に防止することができる。
【００３５】
また、ネジ保持部３と電線保持部４とは、弾性力によって接続ネジ１０１や電線２００を保持するので、接続ネジ１０１の大きさ、形状や電線２００の径が異なる場合であっても適用可能である。
【００３６】
また、既設の端子台１００、接続ネジ１０１、電線２００などに変更を加えずに、ネジ脱落防止具１を使用して電線２００の取付けまたは取外し作業ができるため、既設のすべての端子台１００に対して、容易にネジ脱落防止具１を適用することができる。
【００３７】
また、支持部２には外方に突出する把持部５が形成されているので、端子台１００に対する電線２００の取付けまたは取外しの際は、片手で把持部５を把持することで支持部２を間接的に把持することができ、電線２００の取付けまたは取外しの作業性をより高めることができる。
【００３８】
さらにまた、支持部２とネジ保持部３と電線保持部４は、電気的絶縁性を有する樹脂によって一体成形されているので、作業対象となる電線２００に対して他の電線２００が隣接していても、樹脂を介して他の電線２００との電気的な接触を回避することができ、作業の安全性を高めることができる。
【００３９】
以上、この発明の実施の形態について説明したが、具体的な構成は、これらの実施の形態に限られるものではなく、この発明の要旨を逸脱しない範囲の設計の変更等があっても、この発明に含まれる。例えば、ネジ保持部３は、接続ネジ１０１の頭部１０１ａのみを保持するようにして説明したが、接続ネジ１０１の頭部１０１ａと電線２００の圧着端子２０１とを保持するようにしてもよい。
【００４０】
さらに、電線２００が接続される電気機器は上述の端子台１００以外でもよく、例えばバッテリー同士を接続する電線の取付けまたは取外しについても、ネジ脱落防止具１を適用することができることはもちろんである。
【符号の説明】
【００４１】
１              ネジ脱落防止具
２              支持部
３              ネジ保持部
３２、３３      アーム部
４              電線保持部
５              把持部
１００          端子台（電気機器）
１０１          接続ネジ（ネジ）
２００          電線
【図１】
2012145162.tif 000003
【図２】
2012145162.tif 000004
【図３】
2012145162.tif 000005
【図４】
2012145162.tif 000006
【図５】
2012145162.tif 000007
【図６】
2012145162.tif 000008
【図７】
2012145162.tif 000009
【図８】
2012145162.tif 000010
【図９】
2012145162.tif 000011